(57)【要約】  【課題】  複数の写真立てが並べて設置されても、全ての表示部に異なる観賞用画像を表示する。  【解決手段】  本発明では、観賞用画像を表示する表示部と、表示部を備える外部機器と通信する通信手段と、複数の観賞用画像の中から選択して前記表示部に表示するよう制御する制御手段とを備え、前記制御手段は、前記通信手段を介して外部機器と通信可能な場合に、それぞれの表示部にそれぞれ異なる観賞用画像を表示するよう制御することにより、複数の写真立てが並べて設置されても同じ画像を観賞させることがない。  【選択図】  図１９
2008203846.tif 000002
【特許請求の範囲】
【請求項１】
観賞用画像を表示する表示部と、
表示部を備える外部機器と通信する通信手段と、
複数の観賞用画像の中から選択して前記表示部に表示するよう制御する制御手段とを備え、
前記制御手段は、前記通信手段を介して外部機器と通信可能な場合に、それぞれの表示部にそれぞれ異なる観賞用画像を表示するよう制御することを特徴とする電子写真立て。
【請求項２】
前記電子写真立ての表示部に表示する観賞用画像を切り換える切り換え手段を備え、
前記制御手段は、前記切り換え手段により前記電子写真立ての表示部に表示する観賞用画像を切り換えたとき、前記外部機器の表示部には、切り換える前に前記電子写真立ての表示部に表示されていた観賞用画像と切り換えた後に前記電子写真立ての表示部に表示される観賞用画像以外の観賞用画像を表示させるよう制御することを特徴とする請求項１に記載の電子写真立て。
【請求項３】
前記電子写真立ての表示部に表示する観賞用画像を切り換える切り換え手段を備え、
前記制御手段は、前記切り換え手段により前記電子写真立ての表示部に表示する観賞用画像が前記外部機器の表示部に表示されている観賞用画像に切り換えたとき、前記外部機器の表示部に表示されている観賞用画像を切り換えるよう制御することを特徴とする請求項１に記載の電子写真立て。
【請求項４】
前記電子写真立ての表示部に表示する観賞用画像を切り換える切り換え手段を備え、
前記切り換え手段は、前記外部機器の表示部に表示されている観賞用画像に切り換えることを禁止することを特徴とする請求項１に記載の電子写真立て。
【請求項５】
前記通信手段は、前記外部機器の表示部に表示させるための観賞用画像を前記外部機器に送信することを特徴とする請求項１に記載の電子写真立て。
【請求項６】
前記電子写真立ての表示部に表示する観賞用画像を切り換える切り換え手段を備え、
前記制御手段は、前記外部機器に観賞用画像を有するとき、前記切り換え手段により前記外部機器が有する観賞用画像に切り換えられるよう制御することを特徴とする請求項１に記載の電子写真立て。
【発明の詳細な説明】
【技術分野】
【０００１】
本発明は、電子的に観賞用画像を表示する電子写真立てに関する。
【背景技術】
【０００２】
デジタルカメラ等の入力機器から入力された観賞用画像を表示する装置としてソニーからデジタルフォトフレームが商品化されている。
また、観賞用画像とともにカレンダー等の情報画像を表示する電子写真立てとして、特開平９−３０８５５８号公報、特開平１０−８３１４６号公報に記載された技術が提案されている。
【発明の開示】
【発明が解決しようとする課題】
【０００３】
しかし、上記従来技術には、複数の電子写真立てを接続したときの表示制御について開示されていない。そのため、複数の電子写真立てを並べて設置した場合に、同じ観賞用画像を表示させてしまう可能性がある。
【課題を解決するための手段】
【０００４】
請求項１に記載の発明は、電子写真立てにおいて、観賞用画像を表示する表示部と、表示部を備える外部機器と通信する通信手段と、複数の観賞用画像の中から選択して前記表示部に表示するよう制御する制御手段とを備え、前記制御手段は、前記通信手段を介して外部機器と通信可能な場合に、それぞれの表示部にそれぞれ異なる観賞用画像を表示するよう制御する構成とした。これにより、例えば、複数の写真立てが並べて設置されても、全ての表示部に異なる観賞用画像が表示することができる。
【０００５】
請求項２に記載の発明は、請求項１の電子写真立てにおいて、前記電子写真立ての表示部に表示する観賞用画像を切り換える切り換え手段を備え、前記制御手段は、前記切り換え手段により前記電子写真立ての表示部に表示する観賞用画像を切り換えたとき、前記外部機器の表示部には、切り換える前に前記電子写真立ての表示部に表示されていた観賞用画像と切り換えた後に前記電子写真立ての表示部に表示される観賞用画像以外の観賞用画像を表示させるよう制御する構成とした。これにより、複数の写真立てに異なる観賞用画像を表示できるとともに、観賞を止めた切り換える前に表示されていた画像を表示することがないので再度切り換える必要がない。
【０００６】
請求項３に記載の発明は、請求項１の電子写真立てにおいて、前記電子写真立ての表示部に表示する観賞用画像を切り換える切り換え手段を備え、前記制御手段は、前記切り換え手段により前記電子写真立ての表示部に表示する観賞用画像が前記外部機器の表示部に表示されている観賞用画像に切り換えたとき、前記外部機器の表示部に表示されている観賞用画像を切り換えるよう制御する構成とした。これにより、複数の表示部に、異なる観賞用画像を表示することを維持できる。
【０００７】
請求項４に記載の発明は、請求項１の電子写真立てにおいて、前記電子写真立ての表示部に表示する観賞用画像を切り換える切り換え手段を備え、前記切り換え手段は、前記外部機器の表示部に表示されている観賞用画像に切り換えることを禁止する構成とした。これにより、複数の表示部に、異なる観賞用画像を表示することを維持できる。
【０００８】
請求項５に記載の発明は、請求項１の電子写真立てにおいて、前記通信手段は、前記外部機器の表示部に表示させるための観賞用画像を前記外部機器に送信する構成とした。これにより、電子写真立てが持つ鑑賞用画像を外部機器の表示部に表示することができる。
請求項６に記載の発明は、請求項１の電子写真立てにおいて、前記電子写真立ての表示部に表示する観賞用画像を切り換える切り換え手段を備え、前記制御手段は、前記外部機器に観賞用画像を有するとき、前記切り換え手段により前記外部機器が有する観賞用画像に切り換えられるよう制御する構成とした。これにより、外部機器が持つ観賞用画像を電子写真立ての表示部に表示することができる。
【発明を実施するための最良の形態】
【０００９】
（実施の形態１）
以下に、実施の形態１の電子写真立てについて説明する。実施の形態１の電子写真立ては、デジタルカメラ、スキャナ等で入力された画像である観賞用画像と、カレンダー、時刻、メッセージ等の情報を伝達するための情報画像とをそれぞれ単独または同時に電子的に表示する機能を備える。
【００１０】
図１は、実施の形態１の電子写真立ての外観を示す図である。実施の形態１の電子写真立ては、フレーム１と台座２により構成される。図２、図３は、実施の形態１の電子写真立てにおけるフレーム１の外観図であり、図４は、実施の形態１の電子写真立てにおける台座の外観図である。
まず、フレーム１について説明する。図２に示すように、フレーム１の前面には、表示部１０７、リモコン受光部１１３、スピーカ１２７が設けられている。また、図３に示すように、フレーム１の裏面には、メニューボタン１２１、アップボタン１２３、ダウンボタン１２４、決定ボタン１２５、回転ボタン１２２、電源ボタン１２６、電源部１２０、IEEE1394コネクタ１１７が設けられている。また、フレーム１の側面には、カードスロット１０３、２つの接続端子１１８、１１９が設けられている。
【００１１】
表示部１０７は、観賞用画像、情報画像、メニュー画像を表示する液晶表示装置である。表示部１０７は、縦と横の長さの比が異なる矩形状をなしている。メニューボタン１２１は、各種設定が行えるメニュー設定環境に移るために操作されるボタンである。アップボタン１２３は、各種設定の選択時に操作されるボタンである。ダウンボタン１２４は、アップボタン１２３と同様に各種設定の選択時に操作されるボタンである。決定ボタン１２５は、アップボタン１２３、ダウンボタン１２４で選択された設定を決定するために操作されるボタンである。回転ボタン１２２は、観賞用画像を９０度ずつ回転させるために操作されるボタンである。電源ボタン１２６は、電子写真立て１の主電源をオン、オフするためのボタンである。リモコン受光部１１３は、不図示のリモコン装置から赤外線を使用した信号を受信する受光装置である。リモコン装置には、フレーム１に設けられたメニューボタン１２１、アップボタン１２３、ダウンボタン１２４、決定ボタン１２５、回転ボタン１２２と同様のボタンが設けられており、ボタン操作で各種設定を行うことができる。
【００１２】
カードスロット１０３は、コンパクトフラッシュ、スマートメディア、メモリースティック等のデジタルカメラで使用されているカード型メモリを挿入しデータを読み取るための挿入部である。電源部１２０は、電源、例えば単三型充電池４本が装着され、フレーム１内部の各装置に電力を供給する。また電源部１２０は、フレーム１を立て掛けて置いた時に安定するように、フレーム１が縦姿勢で立て掛けられても横姿勢で立て掛けられても底辺近くに重心がくるような位置に設けられている。接続端子１１８、１１９は、フレーム１の短手方向の側面と長手方向の側面とに設けられている。接続端子１１８、１１９は、後述の台座２に装着された時に接続されている端子を検出することによりフレーム１の姿勢が縦姿勢であるか横姿勢であるかを判断するために用いられる。また、接続端子１１８、１１９はそれぞれ、後述の電源回路１１５と電気的に接続されている。IEEE1394コネクタ１１７は、IEEE1394ケーブルを接続するコネクタである。スピーカ１２７は、音声データを再生するためのものである。
【００１３】
次に、台座２について説明する。台座２は、フレーム１を横姿勢または縦姿勢で立て掛ける時に使用されるものであり、フレーム１が横姿勢であるか縦姿勢であるかを検出するためにも使用される。更に、台座２は、内蔵するＡＣアダプタ２０４を使用して外部の商用電源からフレーム１に電力を供給する。台座２は、突起部２０１と、接続端子２０２と、ケーブル２０３とを備える。
【００１４】
突起部２０１は、フレーム１を挟んで固定するためのものである。接続端子２０２は、突起部２０１によりフレーム１が固定された状態で、フレーム１の接続端子１１８、１１９のいずれかと電気的に接続される接続端子である。また、接続端子２０２は、ケーブル２０３、ＡＣアダプタ２０４を介して供給された商用電源からの電力をフレーム１に伝達するための電源端子としても使用される。ケーブル２０３は、商用電源と接続するためのケーブルである。
【００１５】
図５、図６は、電子写真立ての機能をブロックで示した図である。図５はフレーム１、図６は台座２の機能ブロック図である。
まず、図５を用いてフレーム１の機能について説明する。ＣＰＵ１０１は、フレーム１で行える機能を実行するための制御部である。カードドライバ１０２は、カードスロット１０３に挿入されたカード型メモリ内のデータを読み取るために駆動する。メモリ１０４は、観賞用画像を記憶しておくための不揮発性メモリである。また、メモリ１０４は、観賞用画像、情報画像を表示するためプログラム、表示設定等も記憶しているメモリである。メモリドライバ１０５は、メモリ１０４を駆動するための回路である。画像処理回路１０６は、観賞用画像の９０度回転等、各種表示設定にしたがって観賞用画像等の変換を行う。表示ドライバ１０８は、表示部１０７を駆動し、表示部１０７に表示する画像を制御する。バッファメモリ１０９は、観賞用画像を一時的に記憶する揮発性メモリである。また、表示部１０７に表示する表示画像メモリとしても使用される。ＪＰＥＧデコーダ１１０は、ＪＰＥＧ方式で圧縮記録された静止画像を再生可能に伸長する。ＭＰＥＧデコーダ１１１は、ＭＰＥＧ方式で圧縮記録された動画像を再生可能に伸長する。音声処理回路１２８は、音声信号をスピーカ１２７で出力できるように処理する回路である。スイッチ回路１１２は、各種ボタンに電気的に接続されていて、各種ボタンの操作を検出してＣＰＵ１０１に伝達する。リモコン受信部１１３は、リモコンからの赤外線信号を所定の信号に変換してスイッチドライバに伝達する。スイッチ回路１１２は、リモコン受信部からの信号を解析してＣＰＵ１０１に伝達する。外部ボタン１１４は、上述した各種ボタン全ての総称である。外部ボタン１１４は、各種ボタンが操作されるとスイッチ回路１１２に信号を伝達する。
【００１６】
電源回路１１５は、電源部１２０と電気的に接続されており、フレーム１内の各種装置に電力を供給する。また、電源回路１１５は、フレーム１と台座２とが接続された状態においては、電源部１２０からの電力供給より優先して、接続端子１１８、１１９を介して台座２から供給された電力によりフレーム１内の各種装置に電力を供給すると共に、電源部１２０に充電池が装着されている場合には充電池の充電を行う。IEEE1394インターフェース１１６は、外部機器に備えられたIEEE1394インターフェースと画像データ、制御信号等の送受信を行うためのインターフェースである。また、IEEE1394ケーブルを介して他のフレームと接続することにより図  のフローで示す制御を行う。IEEE1394コネクタ１１７は、IEEE1394インターフェース１１６とIEEE1394ケーブルとを電気的に接続するためのコネクタである。
【００１７】
次に、図６を用いて台座２の機能について説明する。
接続端子２０２は、上述したように、フレーム１が固定された状態で、フレーム１の接続端子１１８、１１９のいずれかと電気的に接続される接続端子である。ケーブル２０３は、ＡＣアダプタ２０４と商用電源とを接続するためのケーブルである。ＡＣアダプタ２０４は、ケーブル２０３を介して供給された商用電源からの電力をフレーム１で扱えるように変換する。
【００１８】
以下に、実施の形態１の電子写真立ての表示動作について説明する。まず、図７、図８、図９を用いて実施の形態１の電子写真立てにおける表示動作の概要を説明する。
図７、図８、図９は、フレーム１の表示部１０７の表示例を示す図である。デジタルカメラ等で撮影された画像データを観賞用画像として表示し、更に、時刻を観賞用画像にオーバーラップさせて表示するように設定されている場合の表示例である。観賞用画像に用いられる画像データは、一般に縦長と横長との長さの比が異なっている。実施形態１のフレーム１の表示部１０７も観賞用画像の縦横比に合わせてある。例えば、図７に示した飛行機の先頭部を右向きから下向きに変えたい（９０度回転させたい）場合には、縦横比が異なるので表示上の画像を回転させるのではなく、フレーム１自体を回転させる。しかし、フレーム１を回転させると、観賞用画像にオーバーラップさせて表示している時刻もフレーム１と共に回転させてしまうと見づらくなる。そこで、実施の形態１の電子写真立てでは、図８に示すように、フレーム１の姿勢に合わせて時刻等の情報画像の表示を制御する。
【００１９】
また、図８に示した飛行機の先頭部を下向きから上向きに変えたい（１８０度回転させたい）場合には、フレーム１自身を１８０度回転させても実現できるが、本実施例では、台座２との接続関係から表示上の画像を回転させることで実現する。しかし、表示されている画像を回転させてしまうと、時刻の表示が逆さになってしまう。そこで、実施の形態１の電子写真立てでは、図９に示すように、飛行機写真等の観賞用画像と時刻等の情報画像を独立して回転できるように表示を制御する。
【００２０】
また、複数の電子写真立てが存在する場合には、それぞれのフレームの表示部に同じ観賞用画像を表示させることなく、異なる画像を観賞できるように制御する。
次に、実施の形態１の電子写真立てにおける表示制御を詳細に説明する。図１０、図１１、図１５、図１９を用いてフレーム１内のＣＰＵ１０１によって実行される表示制御を説明する。
【００２１】
図１０は、実施の形態１の電子写真立てにおける表示制御のメインフローチャートを示す図である。図１０に示すフローチャートはフレーム１の電源ボタン１２６が押されるか、フレーム１にカード型メモリが装着されることにより電源が投入され、スタートする。まず、ステップＳ１００では、他のフレーム（フレーム２）が接続されているかを検出する。フレーム２との接続の検出は、フレーム１のIEEE1394インターフェースとフレーム２のIEEE1394インターフェースとの通信により行われる。フレーム２との接続が検出された場合には図１９に示すステップＳ４０１に進む。フレーム２との接続が検出されない場合には、ステップＳ１０１に進む。ステップＳ１０１では、フレーム１にカード型メモリが装着されていて、カード型メモリ内に画像ファイルが存在するか否かを検出する。画像ファイルが存在する場合にはステップＳ１０２に進み、存在していない場合にはステップＳ１０３に進む。ステップＳ１０２では、カード型メモリ内に存在する最新の画像ファイルを読み出す。読み出された画像ファイルは、ＪＰＥＧデコーダ１１０で伸長して観賞用画像として用いる。ステップＳ１０３では、メモリ１０４に記憶された画像データを読み出す。読み出された画像データは、観賞用画像として用いられる。ここで、カード型メモリが装着されている場合に、カード型メモリ内の画像ファイルをメモリ１０４内の画像ファイルに優先して読み出す理由は、既にメモリ１０４内の画像よりカード型メモリ内の新たな画像を観賞したい可能性が高いからである。
【００２２】
次に、ステップＳ１０４では、画像処理回路１０６により、読み出した観賞用画像のサイズを表示部１０７での表示に合った表示サイズに変更し、バッファメモリ１０９に記憶する。ステップＳ１０５では、前回記憶された表示設定をメモリ１０４から読み出し、バッファメモリ１０９に記憶する。ステップＳ１０６では、画像処理回路１０６により、バッファメモリ１０９に記憶されている観賞用画像と表示設定とに従って表示画像を形成し、表示部１０７に表示する。本ステップの詳細は図１５を用いて説明する。ステップＳ１０７では、メニューボタン１２１が操作されたか否かを検出する。検出された場合にはステップＳ１０８に進み、検出されない場合にはステップＳ１１２へ進む。ステップＳ１０８では、メニューモードになり、表示設定が行われる。本ステップの詳細は図１１に示すフローチャート図を用いて説明する。本ステップによる表示設定が終了するとステップＳ１０６に戻る。
【００２３】
ステップＳ１０９では、アップボタン１２３、ダウンボタン１２４が操作され、観賞用画像の変更が指示されたか否かを検出する。いずれかのボタン操作を検出した場合にはステップＳ１１０に進み、ボタン操作を検出しない場合にはステップＳ１１２に進む。アップボタン１２３、ダウンボタン１２４は、メニューモードになっていないときには、観賞用画像の変更に用いられる。アップボタン１２３、ダウンボタン１２４が操作される前に、観賞用画像を表示するように表示設定されていない状態でも、アップボタン１２３、ダウンボタン１２４が操作されることにより、カード型メモリ、またはメモリ１０４に記憶されている画像データを観賞用画像として選択、表示できるように後述するステップＳ１１４で表示設定する。なお、カード型メモリ、またはメモリ１０４内に、現在表示している観賞用画像の他に画像データが存在しない場合には、アップボタン１２３、ダウンボタン１２４の操作を受け付けなくし、画像データがない旨を表示するように制御する。また、フレーム１にフレーム２が接続されている場合には、他のフレームに装着されたカード型メモリまたは内蔵メモリ内に記憶された画像データを選択できる。
【００２４】
ステップＳ１１０では、ステップＳ１０９でのアップボタン１２３、ダウンボタン１２４の操作により選択された画像データをカード型メモリまたはメモリ１０４から読み出す。ステップＳ１１１では、バッファメモリ１０９に記憶されている観賞用画像をステップＳ１１０で読み出した画像データと置換し、ステップＳ１１４に進む。ステップＳ１１２では、フレーム１のどちらの接続端子に台座２が接続されているか検出し、フレーム１の姿勢が縦横変更されたか否かを検出する。変更を検出した場合にはステップＳ１１４に進み、変更を検出しなければステップＳ１１３に進む。ステップＳ１１３では、観賞用画像を回転するように回転ボタン１２２が操作されたか否かを検出する。操作を検出した場合にはステップＳ１１４に進み、操作を検出しなければステップＳ１１５に進む。ステップＳ１１４では、ステップＳ１０９、ステップＳ１１２、ステップＳ１１３による操作に従って表示設定を変更し、バッファメモリ１０９に記憶されている表示設定を変更した表示設定と置換する。
【００２５】
また、ステップＳ１１５では、電源ボタン１２６がオフ操作されたか否かを検出する。検出した場合にはステップＳ１１６に進み、検出しなければステップＳ１０７に戻り、表示部１０７での表示を継続する。
ステップＳ１１７では、メモリ１０４に記憶されている観賞用画像を、現在、表示部１０７に表示されている観賞用画像と置換する。更に、メモリ１０４に記憶されている表示設定を現在の表示設定と置換する。ステップＳ１１８では、電源をオフし、本フローを終了する。
【００２６】
以下に図１１を用いて、図１０に示すフローチャートのステップＳ１０８のメニューモードで行われる表示設定の制御を説明する。なお、ここでは一部の表示設定についてのみ説明する。まず、ステップＳ２０１では、図１２に示すようなメニュー画面を表示部１０７に表示する。なお、図１２に示すメニュー画面は、フレーム１が縦姿勢の場合に表示されるものであり、フレーム１が横姿勢の場合には図１３に示すように９０度回転させたメニュー画面を表示する。ステップＳ２０２では、使用者の操作に従って設定が行われる。以下に設定方法について図１２、図１４を用いて説明する。
【００２７】
図１２に示すメニュー画面では、設定が可能なモードを表示し、更にその作動状態を表示している。作動可能なモードは、「フォト」「ムービー」「カレンダー」「時計」「メッセージ」「サウンド」「スクリーンセーバー」であり、その作動状態はそれぞれに付けられた「オン」「オフ」で示されている。「オン」になっているものは作動する状態にあることを示している。
【００２８】
メニューモードに変更されると、「フォト」にカーソルが置かれる。この状態で、アップボタン１２３またはダウンボタン１２４が操作されると、「フォト」→「ムービー」と異なるモードにカーソルが移る。また、「フォト」にカーソルが置かれている状態で決定ボタン１２５が操作されると、「フォト」の右に表示された「オン」にカーソルが移る。「オン」にカーソルが置かれた状態で、アップボタン１２３またはダウンボタン１２４が操作されると「オン」→「オフ」と切り替わる。「オン」にカーソルが置かれた状態で決定ボタン１２５が操作されると、図１４に示す設定画面に移る。図１４に示す設定画面は、図１２のメニュー画面で選択されていたモードにおける作動環境を詳細に設定するためのものである。図１４では、一例として、フォト設定モードの作動環境の設定画面を示している。フォト設定モードでは、「変更」「ズーム」「回転」「スライドショー」「消去」の中から選択できる。変更モードは、カード型メモリ、メモリ１０４に複数の画像データが存在している場合に、観賞用画像として表示させる画像データを変更できる。また、フレーム１にフレーム２が接続されているときは、他のフレームに装着されたカード型メモリまたは内蔵メモリ内に記憶された画像データを選択できる。ズームモードは、観賞用画像の拡大、縮小を設定する。回転モードは、観賞用画像の回転角度を設定する。図１４における「変更」「ズーム」「回転」の右には、現在設定されている観賞用画像がサムネイル画像として小さく表示される。
【００２９】
スライドショーモードは、カード型メモリ、メモリ１０４に複数の画像データが存在している場合に自動的に順次表示していくスライドショー機能を実行するか否かを設定する。消去モードは、変更モードで設定された画像データをカード型メモリまたはメモリ１０４から消去する。これらのモードの設定も、アップボタン１２３、ダウンボタン１２４、決定ボタン１２５により行われる。また、ズームしたときに適切な構図が得られるようにズームの中心を移動可能にする移動モードを設けてもよい。
【００３０】
フォトモード以外のムービーモード、カレンダーモード等も、同様に、設定画面に従って作動環境を設定できる。例えば、カレンダーモード、時計モード、メッセージモードにおける設定画面で設定する作動環境として、カレンダー表示、時刻表示を観賞用画像と重畳させて表示するか、並べて表示するかの選択、また、表示文字の色選択等を設定できる。
【００３１】
また、図１４に示す設定画面から図１２に示すメニューモード画面に移るには、メニューボタン１２１を操作する。また、図１２に示すモード画面において「オン」から「フォト」にカーソルを移す、メニューモードを解除するときも、メニューボタン１２１を操作する。以上の要領でメニューの設定を行う。
次に、ステップＳ２０３では、メニューモードを解除するか否かを判別し、解除する場合にはステップＳ２０４に進む。解除しない場合にはメニューモードを維持する。ステップＳ２０４では、設定画面により画像データの変更がされたか検出する。変更を検出した場合はステップＳ２０５に進み、変更を検出しない場合はステップＳ２０７に進む。ステップＳ２０５では、設定された画像データをカード型メモリまたはメモリ１０４から読み出す。ステップＳ２０６では、バッファメモリ１０９に記憶されている観賞用画像を読み出された画像データと置換する。ステップＳ２０７では、バッファメモリ１０９に記憶されている表示設定をメニュー画面、設定画面においてなされた表示設定と置換し、リターンする。
【００３２】
次に、図１５を用いて図１０に示すフローチャートのステップＳ１０６で行われる画像形成、表示の制御を説明する。図１５は、バッファメモリ１０９に記憶された表示設定に従ってなされる画像形成、表示の制御を示すフローチャート図である。なお、ここでは一部の表示設定に対応する表示制御についてのみ説明する。
【００３３】
ステップＳ３０１では、観賞用画像を表示するよう設定されているか否かを検出する。設定されている場合にはステップＳ３０２に進み、設定されていない場合にはステップＳ３１２に進む。ステップＳ３０２では、設定された観賞用画像に対して、回転、ズームを施すよう設定されているか否かを検出する。設定されている場合にはステップＳ３０３に進み、設定されていない場合にはステップＳ３０４に進む。ステップＳ３０３では、設定された回転、ズーム量に応じて観賞用画像に対して回転、ズームの画像処理を施す。ステップＳ３０４では、情報画像を表示するように設定されているか否かを検出する。設定されている場合にはステップＳ３０５に進み、設定されていない場合にはステップＳ３１７に進み、観賞用画像のみを単独で表示する。ステップＳ３０５では、バッファメモリ１０９に記憶された表示設定でフレーム１の姿勢が縦姿勢となっているか否かを検出する。縦姿勢の場合にはステップＳ３０６に進み、縦姿勢でない場合にはステップＳ３０９に進む。
【００３４】
ステップＳ３０６では、フレーム１が縦姿勢に置かれているときにカレンダー、時計等の情報画像が正常な表示状態になるように縦表示用処理を施す。ステップＳ３０７では、観賞用画像と情報画像とを重畳して表示するように設定されているか否かを検出する。重畳して表示するように設定されている場合にはステップＳ３０８に進む。設定されていない場合にはステップＳ３１８に進む。ステップＳ３０８では、観賞用画像と情報画像とを重畳し、図７に示すような画像を形成し表示する。
【００３５】
また、ステップＳ３０７で設定されていないことが検出した場合に、ステップＳ３１８では、観賞用画像と情報画像とを並べて配置し、図１６に示すような画像を形成し表示する。
また、ステップＳ３０５で縦姿勢になっていない場合に、ステップＳ３０９で、フレーム１が横姿勢に置かれているときにカレンダー、時計等の情報画像が正常な表示状態になるように横表示用処理を施す。ステップＳ３１０では、観賞用画像と情報画像とを重畳して表示するように設定されているか否かを検出する。重畳して表示するように設定されている場合にはステップＳ３１１に進む。設定されていない場合にはステップＳ３１９に進む。ステップＳ３１１では、観賞用画像と情報画像とを重畳し、図８に示すような画像を形成し表示する。
【００３６】
また、ステップＳ３１０で重畳して表示するように設定されていないことを検出した場合に、ステップＳ３１９では、観賞用画像と情報画像とを並べて配置し、図１７に示すような画像を形成し表示する。また、図１８は、ステップＳ３０３において観賞用画像に回転、ズームの画像処理が施された場合に形成される表示例を示す。
【００３７】
また、ステップＳ３０１で観賞用画像を表示するよう設定されていない場合に、ステップＳ３１２で、情報画像を表示するように設定されているか否かを検出する。設定されている場合にはステップＳ３１３に進み、設定されていない場合にはステップＳ３１６に進み、表示する画像が設定されていない旨の警告表示を行う。ステップＳ３１３では、バッファメモリ１０９に記憶された表示設定でフレーム１の姿勢が縦姿勢となっているか否かを検出する。縦姿勢の場合にはステップＳ３１４に進み、縦姿勢でない場合にはステップＳ３１５に進む。ステップＳ３１４では、フレーム１が縦姿勢に置かれているときにカレンダー、時計等の情報画像が正常な表示状態になるように縦表示用処理を施す。ステップＳ３１５では、フレーム１が横姿勢に置かれているときにカレンダー、時計等の情報画像が正常な表示状態になるように横表示用処理を施す。ステップＳ３２０では、情報画像のみを単独で表示する。
【００３８】
以上の処理を施して、本フローを終了し、図１０に示すメインフローにリターンする。
次に、図１０のフローチャートのステップＳＳ１００でフレーム２が接続されていると判断された場合に実行される表示制御について説明する。本制御の概要は、フレーム毎に異なる画像を表示するように制御することである。フレーム１、フレーム２それぞれにカード型メモリが装着されており、それぞれのカード型メモリに画像が記憶されている場合には、それぞれのカード型メモリから画像を読み出し表示させる。また、一方のカード型メモリしか装着されていない場合には、カード型メモリに記録されている最新画像をフレーム１に表示し、２番目の画像をフレーム２に表示させる。なお、ここでの説明は、フレーム２は、フレーム１と同等の構造で、同等の機能を備えている。
【００３９】
以下に、図１９のフローチャートを用いてフレーム２が接続されている場合に実行される表示制御を詳細に説明する。図１９のフローチャートは、図１０のステップＳ１００で、フレーム１がフレーム２と接続されている場合にスタートする。
まず、ステップＳ４０１では、フレーム１にカード型メモリが装着され、カード型メモリ内に画像データが存在しているか否かを検出する。画像データが存在する場合にはステップＳ４０２に進む。画像データが存在しない場合にはステップＳ４０４に進む。ステップＳ４０２では、フレーム２にカード型メモリが装着され、カード型メモリ内に画像データが存在しているか否かを検出する。画像データが存在する場合にはステップＳ４０３に進む。画像データが存在しない場合にはステップＳ４０９に進む。ステップＳ４０３では、それぞれのフレームに装着されているカード型メモリに画像データが存在するので、それぞれカード型メモリから最新の画像データを読み出す。そして、ステップＳ４１２に進む。
【００４０】
ステップＳ４０９では、フレーム１に装着されたカード型メモリに複数の画像データが存在するか否かを検出する。複数の画像データが存在する場合にはステップＳ４１０に進み、複数の画像データが存在しない場合にはステップＳ４１１に進む。ステップＳ４１０では、フレーム１に装着されたカード型メモリから最新の画像データと２番目に新しい画像データとを読み出す。そして、２番目に新しい画像データをフレーム２に転送する。ここでは、フレーム２にはカード型メモリが装着されていないか、装着されていても画像データが存在していないが、フレーム１に装着されたカード型メモリに複数の画像データが存在している。そのため、フレーム１に装着されたカード型メモリに存在する複数の画像データの内、最新の画像データをフレーム１に表示し、２番目に新しい画像データをフレーム２に表示するように制御する。そして、ステップＳ４１２に進む。ステップＳ４１１では、フレーム１においてフレーム１に装着されたカード型メモリから画像データを読み出し、フレーム２においてフレーム２の内蔵メモリ（フレーム１でのメモリ１０４に相当）に記憶されている画像データを読み出す。ここでは、フレーム２はカード型メモリから画像データを読み出すことができず、フレーム１に装着されたカード型メモリにもフレーム１に表示する画像データ以外存在しないためこのように制御する。そして、ステップＳ４１２に進む。
【００４１】
また、ステップＳ４０１でフレーム１のカード型メモリに画像データが存在しない場合にステップＳ４０４では、フレーム２にカード型メモリが装着され、カード型メモリ内に画像データが存在しているか否かを検出する。画像データが存在する場合にはステップＳ４０５に進む。画像データが存在しない場合にはステップＳ４０８に進む。ステップＳ４０５では、フレーム２に装着されたカード型メモリに複数の画像データが存在するか否かを検出する。複数の画像データが存在する場合にはステップＳ４０６に進み、複数の画像データが存在しない場合にはステップＳ４０７に進む。ステップＳ４０６では、フレーム２に装着されたカード型メモリから最新の画像データと２番目に新しい画像データとを読み出す。そして、２番目に新しい画像データをフレーム１に転送する。ここでは、フレーム１にはカード型メモリが装着されていないか、装着されていても画像データが存在していないが、フレーム２に装着されたカード型メモリに複数の画像データが存在している。そのため、フレーム２に装着されたカード型メモリに存在する複数の画像データの内、最新の画像データをフレーム２に表示し、２番目に新しい画像データをフレーム１に表示するように制御する。そして、ステップＳ４１２に進む。ステップＳ４０７では、フレーム２においてフレーム２に装着されたカード型メモリから画像データを読み出し、フレーム１においてフレーム１のメモリ１０４に記憶されている画像データを読み出す。ここでは、フレーム１はカード型メモリから画像データを読み出すことができず、フレーム２に装着されたカード型メモリにもフレーム２に表示する画像データ以外存在しないためこのように制御する。そして、ステップＳ４１２に進む。
【００４２】
また、ステップＳ４０４でフレーム２のカード型メモリに画像データが存在しない場合にステップＳ４０４では、フレーム１においてフレーム１のメモリ１０４に記憶されている画像データを読み出し、フレーム２においてフレーム２の内蔵のメモリに記憶さえている画像データを読み出す。ここでは、フレーム１、フレーム２ともにカード型メモリに画像データが存在しないためそれぞれのフレームに内蔵されたメモリに記憶された画像データを読み出すように制御する。そして、ステップＳ４１２に進む。ステップＳ４１２では、フレーム１において読み出された画像データまたはフレーム２から転送された画像データをフレーム１内のバッファメモリ１０９に格納する。更に、フレーム２において読み出された画像データまたはフレーム１から転送された画像データをフレーム２内のバッファメモリ（フレーム１でのバッファメモリ１０９に相当）に格納する。ステップＳ４１３では、フレーム１において前回記憶された表示設定をメモリ１０４から読み出し、バッファメモリ１０９に記憶する。更に、フレーム２でも同様に表示設定を内蔵メモリから読み出し、バッファメモリに記憶する。そして、図１０に示すフローのステップＳ１０６にリターンする。
【００４３】
なお、フレーム１にフレーム２が接続されているときは、表示する観賞用画像の変更に際して、他のフレームに装着されたカード型メモリまたは内蔵メモリ内に記憶された画像データを選択できる。その場合に、フレーム１の表示部１０７に表示するように新たに選択された観賞用画像がフレーム２に表示されている場合には、新たにフレーム１に表示するよう選択された画像（フレーム２に表示されていた画像）と、今までフレーム１に表示されていた画像以外の画像をフレーム２の表示部に表示するように制御する。
【００４４】
また、フレーム１において、フレーム２に表示されている画像を選択できないようにしてもよいし、同じ画像がフレーム２で表示されている旨を警告してもよい。
以上のフローでは、フレーム１とフレーム２とに同時に同じ観賞用画像を表示することのないように、異なる観賞用画像を表示するよう制御した。これにより、フレーム１とフレーム２が並べて置かれていても同じ画像を観賞させることがない。なお、実施の形態１では、観賞用画像について同じ画像を表示することのないように制御したが、情報画像についても同様に実施できる。例えば、フレーム１にカレンダーを表示するときは、フレーム２にはカレンダー以外の時刻等を表示させるように制御する。
【００４５】
また、本実施の形態では、自身のフレームに内蔵されているメモリに記憶されている画像データよりも他のフレームに装着されたカード型メモリ内の画像データを優先して表示するようにしている。
なお、上記制御は、フレーム１のＣＰＵにより処理するように説明したが、フレーム１のＣＰＵとフレーム２のＣＰＵとが連携して処理してもよい。その場合には、フレーム１に対する制御はフレーム１側のＣＰＵにより処理し、フレーム２に対する制御はフレーム２側のＣＰＵにより処理する。また、フレーム１，フレームの電源の残量を検出し、電源残量が多いフレームのＣＰＵを使用して処理するようにしてもよい。
【００４６】
また、上記制御は、電子写真立てであるフレーム２との接続により行われるのみでなく、IEEE1394インターフェースを備えた表示機器と接続されることにより行われる。例えば、テレビに接続された場合にはテレビモニタに表示するよう制御される。また、IEEE1394インターフェースにより、他の表示機器にＪＰＥＧ、ＭＰＥＧデコーダが存在していないことを検出した場合には、デコードした画像データを転送するようにする。当然、フレーム２のようにＪＰＥＧ、ＭＰＥＧデコードを備えている機器に対しても、デコードした画像データを転送するようにしてもよい。
（実施の形態２）
以下に実施の形態２の電子写真立てを説明する。実施形態２の電子写真立ては、図２０を用いて説明する制御方法が実施の形態１の電子写真立てと異なるが、外観、内部構成は実施の形態１の電子写真立てと同一である。実施の形態２では、カード型メモリ内またはメモリ１０４内に記憶されている画像データが縦表示用の画像であるか横表示用の画像であるかを検出し表示を制御する。電子写真立てのフレーム１が縦姿勢である場合には縦表示用の画像を表示させ、横姿勢である場合には横表示用の画像を表示させるよう制御する。縦表示画像であるか横表示用画像であるかは、デジタルカメラにより画像データのファイルのヘッダー部に縦横情報が記録されている。本フローチャートはフレーム１の電源ボタン１２６が押されるか、フレーム１にカード型メモリが装着されることにより電源が投入され、スタートする。
【００４７】
まず、ステップＳ５００では、フレーム１が縦姿勢であるか否かを検出する。検出方法は、台座２の接続端子とフレーム１の接続端子の接続関係から検出する。フレーム１が縦姿勢の場合にはステップＳ５０１に進み、フレーム１が縦姿勢でない、すなわち横姿勢の場合にはステップＳ５０６に進む。ステップＳ５０１では、画像データファイルのヘッダー部に記録されている縦横情報に基づいて、縦表示用画像データを検索する。ステップＳ５０２では、ステップＳ５０１の検索結果から縦表示用画像データが存在するか否かを検出する。縦表示用画像データが存在する場合にはステップＳ５０３に進み、存在しない場合にはステップＳ５０４に進む。ステップＳ５０３では、検索した縦表示用画像データの中から最新の縦表示用画像データを読み出し、バッファメモリ１０９に保存する。そして、ステップＳ５０５で、バッファメモリ１０９に保存された画像データを表示部１０７に表示する。
【００４８】
また、縦表示用画像データが存在しない場合に、ステップＳ５０４では、「フレームの姿勢を横にして下さい。または回転ボタンを押して下さい。」という警告文章を持つ警告画像をバッファメモリ１０９に保存する。そして、ステップＳ５０５で、バッファメモリ１０９に保存された画像データを表示部１０７に表示する。
【００４９】
また、ステップＳ５００においてフレーム１の姿勢が横姿勢と検出された場合には、ステップＳ５０６で、画像データファイルのヘッダー部に記録されている縦横情報に基づいて、横表示用画像データを検索する。ステップＳ５０７では、ステップＳ５０６の検索結果から横表示用画像データが存在するか否かを検出する。横表示用画像データが存在する場合にはステップＳ５０８に進み、存在しない場合にはステップＳ５０９に進む。ステップＳ５０８では、検索した横表示用画像データの中から最新の横表示用画像データを読み出し、バッファメモリ１０９に保存する。そして、ステップＳ５０５で、バッファメモリ１０９に保存された画像データを表示部１０７に表示する。
【００５０】
また、横表示用画像データが存在しない場合に、ステップＳ５０９では、「フレームの姿勢を縦にして下さい。または回転ボタンを押して下さい。」という警告文章を持つ警告画像をバッファメモリ１０９に保存する。そして、ステップＳ５０５で、バッファメモリ１０９に保存された画像データを表示部１０７に表示する。ステップＳ５１０では、フレーム１の姿勢が変更されたか否かを検出する。変更されたことを検出した場合にはステップＳ５００に戻り、上述したステップを繰り返す。変更されたことを検出しない場合にはステップＳ５１１に進む。ステップＳ５１１では、電源ボタン１２６がオフ操作されたか否かを検出する。検出した場合にはステップＳ５１２に進み、電源をオフし、本フローを終了する。検出しない場合にはステップＳ５０５に戻り、表示部１０７での表示を継続する。
【００５１】
また、実施の形態２の電子写真立てでは、スライドショー機能が実行されると、フレーム１が縦姿勢の時には、縦表示用の画像データのみを順次表示するように制御し、フレーム１が横姿勢の時には、横表示用の画像データのみを順次表示するように制御する。
なお、デジタルカメラによっては、縦表示用、横表示用の情報を付加する機能を有していないものがある。そのようなデジタルカメラで撮影された画像データにはフレーム１により、画像データに対して縦表示用か横表示用か入力することを可能にする。
【００５２】
なお、以上説明してきた実施の形態１，２では、最新の画像データを優先して表示するようにしたが、最古の画像データを優先して表示するようにしてもよい。
また、実施の形態１，２では、台座を使用してフレームを立て掛ける電子写真立てを説明したが、フレームを壁に掛ける電子写真立てにも応用できる。
【図面の簡単な説明】
【００５３】
【図１】本発明の実施形態の電子写真立ての外観を示す図。
【図２】本発明の実施形態の電子写真立てにおけるフレーム１の表面外観を示す図。
【図３】本発明の実施形態の電子写真立てにおけるフレーム１の裏面外観を示す図。
【図４】本発明の実施形態の電子写真立てにおける台座２の外観を示す図。
【図５】本発明の実施形態の電子写真立てにおけるフレーム１の内部機能を示すブロック図。
【図６】本発明の実施形態の電子写真立てにおける台座２の内部機能を示すブロック図。
【図７】本発明の実施形態の電子写真立てにおける表示例を示す図。
【図８】本発明の実施形態の電子写真立てにおける表示例を示す図。
【図９】本発明の実施形態の電子写真立てにおける表示例を示す図。
【図１０】本発明の実施形態１の電子写真立てにより実行される処理を示すフローチャート図。
【図１１】本発明の実施形態１の電子写真立てにより実行される処理を示すフローチャート図。
【図１２】本発明の実施形態の電子写真立てにおけるメニュー画面の表示例を示す図。
【図１３】本発明の実施形態の電子写真立てにおけるメニュー画面の表示例を示す図。
【図１４】本発明の実施形態の電子写真立てにおける表示設定画面の表示例を示す図。
【図１５】本発明の実施形態１の電子写真立てにより実行される処理を示すフローチャート図。
【図１６】本発明の実施形態の電子写真立てにおける表示例を示す図。
【図１７】本発明の実施形態の電子写真立てにおける表示例を示す図。
【図１８】本発明の実施形態の電子写真立てにおける表示例を示す図。
【図１９】本発明の実施形態１の電子写真立てにより実行される処理を示すフローチャート図。
【図２０】本発明の実施形態２の電子写真立てにより実行される処理を示すフローチャート図である。
【符号の説明】
【００５４】
１…フレーム
２…台座
１０７…表示部
１２１…メニューボタン
１２３…アップボタン
１２４…ダウンボタン
１２５…決定ボタン
１２２…回転ボタン
１２６…電源ボタン
１２０…電源部
１１７…IEEE1394コネクタ
１０３…カードスロット
１１８、１１９、２０２…接続端子
１０１…ＣＰＵ
１０６…画像処理回路
１０４…メモリ
１０９…バッファメモリ
１１５…電源回路
２０４…ＡＣアダプタ
【図１】
2008203846.tif 000003
【図２】
2008203846.tif 000004
【図３】
2008203846.tif 000005
【図４】
2008203846.tif 000006
【図５】
2008203846.tif 000007
【図６】
2008203846.tif 000008
【図７】
2008203846.tif 000009
【図８】
2008203846.tif 000010
【図９】
2008203846.tif 000011
【図１０】
2008203846.tif 000012
【図１１】
2008203846.tif 000013
【図１２】
2008203846.tif 000014
【図１３】
2008203846.tif 000015
【図１４】
2008203846.tif 000016
【図１５】
2008203846.tif 000017
【図１６】
2008203846.tif 000018
【図１７】
2008203846.tif 000019
【図１８】
2008203846.tif 000020
【図１９】
2008203846.tif 000021
【図２０】
2008203846.tif 000022
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
観賞用画像を表示する表示部と、
表示部を備える外部機器と通信する通信手段と、
複数の観賞用画像の中から選択して前記表示部に表示するよう制御する制御手段とを備え、
前記制御手段は、前記通信手段を介して外部機器と通信可能な場合に、それぞれの表示部にそれぞれ異なる観賞用画像を表示するよう制御することを特徴とする電子写真立て。
【請求項２】
前記電子写真立ての表示部に表示する観賞用画像を切り換える切り換え手段を備え、
前記制御手段は、前記切り換え手段により前記電子写真立ての表示部に表示する観賞用画像を切り換えたとき、前記外部機器の表示部には、切り換える前に前記電子写真立ての表示部に表示されていた観賞用画像と切り換えた後に前記電子写真立ての表示部に表示される観賞用画像以外の観賞用画像を表示させるよう制御することを特徴とする請求項１に記載の電子写真立て。
【請求項３】
前記電子写真立ての表示部に表示する観賞用画像を切り換える切り換え手段を備え、
前記制御手段は、前記切り換え手段により前記電子写真立ての表示部に表示する観賞用画像が前記外部機器の表示部に表示されている観賞用画像に切り換えたとき、前記外部機器の表示部に表示されている観賞用画像を切り換えるよう制御することを特徴とする請求項１に記載の電子写真立て。
【請求項４】
前記電子写真立ての表示部に表示する観賞用画像を切り換える切り換え手段を備え、
前記切り換え手段は、前記外部機器の表示部に表示されている観賞用画像に切り換えることを禁止することを特徴とする請求項１に記載の電子写真立て。
【請求項５】
前記通信手段は、前記外部機器の表示部に表示させるための観賞用画像を前記外部機器に送信することを特徴とする請求項１に記載の電子写真立て。
【請求項６】
前記電子写真立ての表示部に表示する観賞用画像を切り換える切り換え手段を備え、
前記制御手段は、前記外部機器に観賞用画像を有するとき、前記切り換え手段により前記外部機器が有する観賞用画像に切り換えられるよう制御することを特徴とする請求項１に記載の電子写真立て。
【請求項７】
前記制御手段は、画像の撮影日時情報を用いて、それぞれの表示部にそれぞれ異なる観賞用画像を表示するよう制御することを特徴とする請求項１〜６のいずれかに記載の電子写真立て。
【手続補正２】
【補正対象書類名】明細書
【補正対象項目名】０００８
【補正方法】変更
【補正の内容】
【０００８】
請求項５に記載の発明は、請求項１の電子写真立てにおいて、前記通信手段は、前記外部機器の表示部に表示させるための観賞用画像を前記外部機器に送信する構成とした。これにより、電子写真立てが持つ鑑賞用画像を外部機器の表示部に表示することができる。
請求項６に記載の発明は、請求項１の電子写真立てにおいて、前記電子写真立ての表示部に表示する観賞用画像を切り換える切り換え手段を備え、前記制御手段は、前記外部機器に観賞用画像を有するとき、前記切り換え手段により前記外部機器が有する観賞用画像に切り換えられるよう制御する構成とした。これにより、外部機器が持つ観賞用画像を電子写真立ての表示部に表示することができる。
請求項７に記載の発明は、請求項１〜６の電子写真立てにおいて、前記制御手段は、画像の撮影日時情報を用いて、それぞれの表示部にそれぞれ異なる観賞用画像を表示するよう制御する構成とした。
【手続補正３】
【補正対象書類名】明細書
【補正対象項目名】００１６
【補正方法】変更
【補正の内容】
【００１６】
電源回路１１５は、電源部１２０と電気的に接続されており、フレーム１内の各種装置に電力を供給する。また、電源回路１１５は、フレーム１と台座２とが接続された状態においては、電源部１２０からの電力供給より優先して、接続端子１１８、１１９を介して台座２から供給された電力によりフレーム１内の各種装置に電力を供給すると共に、電源部１２０に充電池が装着されている場合には充電池の充電を行う。IEEE1394インターフェース１１６は、外部機器に備えられたIEEE1394インターフェースと画像データ、制御信号等の送受信を行うためのインターフェースである。また、IEEE1394ケーブルを介して他のフレームと接続することにより図１９のフローで示す制御を行う。IEEE1394コネクタ１１７は、IEEE1394インターフェース１１６とIEEE1394ケーブルとを電気的に接続するためのコネクタである。
【手続補正４】
【補正対象書類名】明細書
【補正対象項目名】００２２
【補正方法】変更
【補正の内容】
【００２２】
次に、ステップＳ１０４では、画像処理回路１０６により、読み出した観賞用画像のサイズを表示部１０７での表示に合った表示サイズに変更し、バッファメモリ１０９に記憶する。ステップＳ１０５では、前回記憶された表示設定をメモリ１０４から読み出し、バッファメモリ１０９に記憶する。ステップＳ１０６では、画像処理回路１０６により、バッファメモリ１０９に記憶されている観賞用画像と表示設定とに従って表示画像を形成し、表示部１０７に表示する。本ステップの詳細は図１５を用いて説明する。ステップＳ１０７では、メニューボタン１２１が操作されたか否かを検出する。検出された場合にはステップＳ１０８に進み、検出されない場合にはステップＳ１０９へ進む。ステップＳ１０８では、メニューモードになり、表示設定が行われる。本ステップの詳細は図１１に示すフローチャート図を用いて説明する。本ステップによる表示設定が終了するとステップＳ１０６に戻る。
【手続補正５】
【補正対象書類名】明細書
【補正対象項目名】００２５
【補正方法】変更
【補正の内容】
【００２５】
また、ステップＳ１１５では、電源ボタン１２６がオフ操作されたか否かを検出する。検出した場合にはステップＳ１１６に進み、検出しなければステップＳ１０７に戻り、表示部１０７での表示を継続する。
ステップＳ１１６では、メモリ１０４に記憶されている観賞用画像を、現在、表示部１０７に表示されている観賞用画像と置換する。更に、メモリ１０４に記憶されている表示設定を現在の表示設定と置換する。ステップＳ１１７では、電源をオフし、本フローを終了する。
【手続補正６】
【補正対象書類名】明細書
【補正対象項目名】００３８
【補正方法】変更
【補正の内容】
【００３８】
以上の処理を施して、本フローを終了し、図１０に示すメインフローにリターンする。
次に、図１０のフローチャートのステップＳ１００でフレーム２が接続されていると判断された場合に実行される表示制御について説明する。本制御の概要は、フレーム毎に異なる画像を表示するように制御することである。フレーム１、フレーム２それぞれにカード型メモリが装着されており、それぞれのカード型メモリに画像が記憶されている場合には、それぞれのカード型メモリから画像を読み出し表示させる。また、一方のカード型メモリしか装着されていない場合には、カード型メモリに記録されている最新画像をフレーム１に表示し、２番目の画像をフレーム２に表示させる。なお、ここでの説明は、フレーム２は、フレーム１と同等の構造で、同等の機能を備えている。
【手続補正７】
【補正対象書類名】明細書
【補正対象項目名】００４２
【補正方法】変更
【補正の内容】
【００４２】
また、ステップＳ４０４でフレーム２のカード型メモリに画像データが存在しない場合にステップＳ４０４では、フレーム１においてフレーム１のメモリ１０４に記憶されている画像データを読み出し、フレーム２においてフレーム２の内蔵のメモリに記憶されている画像データを読み出す。ここでは、フレーム１、フレーム２ともにカード型メモリに画像データが存在しないためそれぞれのフレームに内蔵されたメモリに記憶された画像データを読み出すように制御する。そして、ステップＳ４１２に進む。ステップＳ４１２では、フレーム１において読み出された画像データまたはフレーム２から転送された画像データをフレーム１内のバッファメモリ１０９に格納する。更に、フレーム２において読み出された画像データまたはフレーム１から転送された画像データをフレーム２内のバッファメモリ（フレーム１でのバッファメモリ１０９に相当）に格納する。ステップＳ４１３では、フレーム１において前回記憶された表示設定をメモリ１０４から読み出し、バッファメモリ１０９に記憶する。更に、フレーム２でも同様に表示設定を内蔵メモリから読み出し、バッファメモリに記憶する。そして、図１０に示すフローのステップＳ１０６にリターンする。
【手続補正８】
【補正対象書類名】明細書
【補正対象項目名】００４５
【補正方法】変更
【補正の内容】
【００４５】
また、本実施の形態では、自身のフレームに内蔵されているメモリに記憶されている画像データよりも他のフレームに装着されたカード型メモリ内の画像データを優先して表示するようにしている。
なお、上記制御は、フレーム１のＣＰＵにより処理するように説明したが、フレーム１のＣＰＵとフレーム２のＣＰＵとが連携して処理してもよい。その場合には、フレーム１に対する制御はフレーム１側のＣＰＵにより処理し、フレーム２に対する制御はフレーム２側のＣＰＵにより処理する。また、フレーム１，フレーム２の電源の残量を検出し、電源残量が多いフレームのＣＰＵを使用して処理するようにしてもよい。